(57)【要約】【課題】各種の表示文字データの書込み表示が可能の電子ペーパーを設けた通信装置であって、保守管理等を容易とする。【解決手段】  文字データを表示する電子ペーパー１を設けた通信装置であって、入力データをデータ変換部６により表示文字データに変換し、目視可能の位置に設けた電子ペーパー１に書込み制御を行う制御回路２を備え、この制御回路２は、メモリ４に書込んだ制御情報の版数情報又は警報情報を読出す制御を行う読出制御部８と、メモリ４から読出した版数情報又は警報情報を表示文字データに変換するデータ変換部６と、このデータ変換部６により変換した表示文字データを電子ペーパー１に加えて書込む制御を行う書込制御部７とを備えている。【選択図】図１
2013055546.tif 000002
【特許請求の範囲】
【請求項１】
文字データを表示する電子ペーパーを設けた通信装置に於いて、
入力データを表示文字データに変換し、該表示文字データを目視可能位置に設けた前記電子ペーパーに書込む制御を行う制御回路を設けた
ことを特徴とする通信装置。
【請求項２】
前記制御回路は、メモリに書込んだ制御情報の版数情報又は警報情報を読出す制御を行う読出制御部と、前記メモリから読出した前記版数情報又は警報情報を表示文字データに変換するデータ変換部と、該データ変換部により変換した表示文字データを前記電子ペーパーに加えて書込む書込制御部とを備えたことを特徴とする請求項１記載の通信装置。
【請求項３】
前記電子ペーパーを通信装置のパッケージ上面又は前面に固定して、表示文字データを目視可能に表示する構成を備えたことを特徴とする請求項１記載の通信装置。
【請求項４】
挿抜可能に設けたパッケージに前記電子ペーパーを固定し、該パッケージに発生した障害情報を表示文字データに変換して前記電子ペーパーに書込む制御回路を備えたことを特徴とする請求項１記載の通信装置。
【発明の詳細な説明】
【技術分野】
【０００１】
本発明は、電子ペーパーをパッケージ等に固定して、制御情報の版数、型番、状態情報等を表示可能とし、保守運用等を容易にした通信装置に関する。
【背景技術】
【０００２】
各種の通信装置は、単一又は複数のパッケージを筺体等に実装した構成が一般的であり、そのパッケージや通信装置について、その製造会社名、製造年月日、製品名、型番、動作環境条件、動作特性等を、刻印やプリント等によって表示したプレートを取り付け、或は直接的に印字等によって表示することにより、組立時や保守交換時等に於いて、それらの表示内容が参照されている。又正常運用中や障害発生中等をそれぞれ異なる発光色の発光ダイオード等によって識別可能とし、保守要員に通知する為の各種の構成が適用されている。又監視装置等により各種被監視装置を監視し、動作状態情報を収集蓄積して、障害発生時の解析の一助とする手段も各種適用されている。
【０００３】
又薄型且つ軽量の表示手段として各種構成の電子ペーパーが提案されており、表示情報を入力して書込みを行うと、その後の電源供給を行うことなく、その表示内容を継続して表示可能とするもので、表示情報書込み時のみ、動作電力を必要とするが、書込み終了後は、動作電力を必要としない利点がある。このような電子ペーパーを電子機器の筺体の内面や外面に固定して、電子機器の異常発生検出時に、その異常発生状態と、対処方法とを、電子ペーパーに書込んで表示することにより、その表示内容を参照して修復作業を可能とする構成が提案されている（例えば、特許文献１参照）。又各種物品に、ＩＣタグ（電子タグ）を添付して、その物品の名称等の物品を特定可能とする情報を書込み、収納箱に収納すると共に、収納箱の外面に電子ペーパーを添付し、この電子ペーパーに対する情報の書込み手段と、ＩＣタグリーダーとを用い、このＩＣタグリーダーにより収納箱内の物品の名称等を読取り、情報の書込み手段により、電子ペーパーに物品の名称等を書込む。それにより、収納箱の搬送時や倉庫への保管時に、収納箱に添付した電子ペーパーの表示内容によって、物品を特定可能する手段が提案されている（例えば、特許文献２参照）。
【先行技術文献】
【特許文献】
【０００４】
【特許文献１】特開２００８−１５８７８９号公報
【特許文献２】特開２００９−２３４６８２号公報
【発明の概要】
【発明が解決しようとする課題】
【０００５】
各種の通信装置は、単一或は複数のパッケージにより構成する場合が一般的であり、又パッケージ対応に、メーカ名、製品名、製品番号、特性、使用条件等を、直接的に印字或は印字シール等を添付して、保守管理時の参照情報とする構成が一般的である。又各種の制御動作を行わせる為の制御情報をメモリ等に予め設定し、そのバージョン情報等は、カタログ等に記載して管理する場合が一般的である。又運用中に制御情報の内容を更新し、その内容更新に従って版数更新も行う場合が一般的である。このような制御情報の版数更新の情報は、通信装置個々には管理していない場合が多いものであり、従って、版数更新が運用年数の経過に伴って多数となると、制御情報作成側は、最新の版数を記録しているとしても、通信装置側では確実に制御情報の現在の版数を記録管理していない場合が多い問題がある。なお、規模の大きい通信装置や多数の通信装置をまとめて管理するシステムに於いては、各種の管理情報の版数管理を、データベース化等によって集中管理することも可能であるが、その場合でも、通信装置個々の制御情報の版数は、集中管理システム等にアクセスし、ディスプレイの表示内容によって確認することになり、迅速且つ簡単に確認することは困難である問題があった。
【０００６】
又各種の通信装置に於いて、障害発生時に、その障害内容を示すトラブルチケットを保守要員等の作業によって発行する場合がある。しかし、トラブルチケットは、その発行作業が煩雑であり、且つ障害解析とそれに伴う修復処理を行う前に、紛失する可能性が大きい問題がある。又新規の製品と交換した場合等の以前の製品を、保守用等の為に保管、或は転用の為に発送する場合、その製品の制御情報等の版数情報等は、管理用の帳簿やデータベースにより管理する場合が一般的であり、従って、以前の製品の版数情報等の仕様情報を直ちに認識することは殆ど不可能に近いものであった。
【０００７】
本発明は、前述の従来も問題点を解決することを目的とし、パッケージ単位等に電子ペーパーを取付けて、制御情報の版数等の必要項目や障害発生内容等を書込んで、保守管理や運用を容易とするものである。
【課題を解決するための手段】
【０００８】
本発明の通信装置は、文字データを表示する電子ペーパーを設けた通信装置であって、入力データを表示文字データに変換し、目視可能位置に設けた前記電子ペーパーに書込み制御を行う制御回路を設けた構成を備えている。
【０００９】
又前記制御回路は、メモリに書込んだ制御情報の版数情報又は警報情報を読出す制御を行う読出制御部と、該メモリから読出した前記版数情報又は警報情報を表示文字データに変換するデータ変換部と、該データ変換部により変換した表示文字データを前記電子ペーパーに加えて書込む書込制御部とを備えている。
【００１０】
又電子ペーパーを通信装置のパッケージ上面又は前面に固定して、表示文字データを目視可能に表示する構成を備えている。
【００１１】
又挿抜可能に設けたパッケージに電子ペーパーを固定して、パッケージに発生した障害情報を表示文字データに変換して電子ペーパーに書込む制御回路を備えている。
【発明の効果】
【００１２】
電子ペーパーは、情報書込み時に動作電力を必要とするけれども、その後の書込み内容の表示期間に於いては、電力を消費しない構成を有するものであり、従って、長期間に亘りパッケージの種別情報等を書換えて表示し、且つバージョンアップ等により変更した各種情報内容等に対しても容易に対応して書換えることによって表示することが可能であり、又パッケージに障害が発生した場合、その障害情報を表示文字データに変換して電子ペーパーに書込むことにより、そのパッケージを通信装置から取り外して修理する場合、障害情報が電子ペーパーに表示されていることにより、修理作業が容易になる利点がある。従って、通信装置の運用、管理が容易となると共に、電子ペーパーをトラブルチケット等に適用可能となる利点があり、又表示文字データの書込みの処理後は、電力消費の問題もない利点がある。
【図面の簡単な説明】
【００１３】
【図１】本発明の実施例１の説明図である。
【図２】本発明の実施例２の説明図である。
【図３】本発明の実施例３の説明図である。
【図４】本発明の実施例４の説明図である。
【図５】本発明の実施例５の説明図である。
【００１４】
本発明の通信装置は、図１を参照して説明すると、文字データを表示する電子ペーパー１を設けた通信装置であって、入力データを表示文字データに変換し、目視可能位置に設けた前記電子ペーパー１に書込み制御を行う制御回路２を設けた構成を備えている。
【実施例１】
【００１５】
図１は、本発明の実施例１の説明図であり、１は電子ペーパー、２は制御回路、３は状態監視部、４はメモリ、５は受信部、６はデータ変換部、７は書込制御部、８は読出制御部を示し、通信装置の要部のみを示すものであり、電子ペーパー１は、既に知られている各種の構成を適用可能であって、任意の空きスペースに、接着剤や周辺のネジ留め等によって取り付けることができる。又制御回路２は、受信部５、データ変換部６、書込制御部７、読出制御部８を含む制御構成を備えた場合を示し、又メモリ４は、各種の制御情報やその版数管理を行う為の版数管理情報等を格納すると共に、通信に関連する各種の制御データ等の記憶や通信データの一時記憶等の機能を含むものであり、通信制御処理機構やメモリ４のリード・ライト制御回路等は図示を省略している。又状態監視部３は、通信装置内の各部の状態を監視する機能と共に電源電圧監視の機能を含み、通信装置の電源オンによる電源電圧等の検出により、制御回路２にトリガー信号を加える。又制御回路２の読出制御部８は、状態監視部３からのトリガー信号によって、版数管理番地リード信号として示すように、メモリ４の版数管理情報を格納しているアドレス指定を行って版数データを読出し、その版数データを、受信部５を介してデータ変換部６へ転送する。
【００１６】
受信部５は、読出制御部８に対応したデータ読取部に相当する機能を有するもので、メモリ４から読取った版数データをデータ変換部６へ転送する。又読出制御部８は、メモリ４に対する版数管理番地リード信号に対応して、書込制御部７に対して、リード信号通知を行う。それによって、書込制御部７は、データ変換部６と電子ペーパー１とに対して書込制御信号を加え、データ変換部６により、メモリ４から読取った版数データを表示文字データに変換して電子ペーパー１に入力し、書込制御部７からの書込制御信号に従って、表示文字データとしての版数データの書込みを行う。前述のように、通信装置の制御情報の更新を行った場合、その版数管理情報も更新するものであり、又制御情報の更新を有効にする為にリブート処理を行う場合が一般的であるから、そのリブート処理により、電源電圧をオフとした後、オンとするから、状態監視部３は、その電源電圧監視によって、読出制御部８にトリガー信号を加え、前述のように、読出制御部８により、メモリ４の更新された版数管理情報を読出して、電子ペーパー１に書込み、版数表示内容を自動的に最新の内容に更新することができる。それによって、保守要員等は、制御情報の現在の版数を電子ペーパー１の表示内容によって確認することができる。
【実施例２】
【００１７】
図２は、本発明の実施例２の説明図であり、図１と同一符号は同一名称部分を示し、９はデータ比較部、１０は通信装置の機能部分の主回路、１１は異常検出回路を示す。この実施例は、警報情報を表示文字データに変換して電子ペーバー１に書込むことにより、警報内容を表示可能とし、保守要員等に通知可能とする。それにより、保守処理の容易性と迅速性とを実現可能としたものであって、メモリ４に警報情報を書込む領域を予め設定しておき、主回路１０の異常検出回路１１により異常を検出すると、その異常発生状況を示す警報情報をメモリ４の所定の領域に書込み、その警報情報を書込んだことを示す書込信号を主回路１０から状態監視部３へ転送する。状態監視部３は、主回路１０からの書込信号によって、制御回路２の読出制御部８に、警報情報読出用のトリガー信号を加える。読出制御部８は、この警報情報読出用のトリガー信号によって、メモリ４に対して警報情報管理番地リード信号を加え、メモリ４から警報情報を読出し、その警報情報を受信部５からデータ変換部６とデータ比較部９とに入力する。
【００１８】
データ比較部９は、受信部５を介して加えられた警報情報を正常状態の情報と比較し、正常ではないことを示す警報情報と判定すると、書込制御部７に制御信号を転送し、それにより、データ変換部６を制御して、受信部５により受信した警報情報を表示文字データに変換して電子ペーパー１に書込む。従って、主回路１０側の異常発生内容を電子ペーパー１に表示して、主回路１０側の保守の迅速化を図ることができる。又主回路１０をパッケージ対応の各種通信制御処理を実行する回路とすると、パッケージ単位の障害発生の内容を電子ペーパー１により表示し、その表示内容は、パッケージを通信装置から取り外しても継続して維持しているから、修理専門個所に運搬して修理する場合に、修理作業の迅速化の一助とすることができる。又この場合の電子ペーパー１の表示内容を、トラブルチケットとして活用することも可能であり、通信装置から取り外しても、表示内容を維持できるから、電子ペーパーのみを取り外して保守センター等へ持ち込むことも可能である。
【実施例３】
【００１９】
図３は、本発明の実施例３の説明図であり、図１及び図２と同一符号は同一名称部分を示し、１２は通信処理部、１３は送信処理部、１４はデータ廃棄部、１５はデータの正常性確認部、１６はエラー修正部（ＥＣＣ）、１７は監視システム（ＯＰＳ）を示す。監視システム１７からのメッセージを制御回路２の通信処理部１２により受信し、エラー修正部１６により受信メッセージの伝送エラーを修正し、データの正常性確認部１５に於いて受信メッセージの正常性を確認し、正常性が無いと判断すると、データ廃棄部１４により受信メッセージの廃棄処理を行い、送信処理部１３から監視システム１７へ再送要求を行う。又データの正常性確認部１５に於いて正常性有りと判断すると、データ変換部６に受信メッセージ内容を転送し、且つ書込制御部７に制御信号を加え、データ変換部６により表示情報に変換したメッセージ内容を、書込制御部７からの書込制御信号に従って電子ペーパー１に書込み、監視システム１７からのメッセージを電子ペーパー１に書込んで表示することができる。
【実施例４】
【００２０】
図４は、本発明の実施例４の説明図であり、パソコン等の作業端末１８から制御回路２を介して電子ペーパー１に各種の情報を書込んで表示させる制御を行う主要部のみを示すと共に、制御回路２は、受信部５とデータ変換部６と書込制御部７とのみを図示している。作業端末１８から電子ペーパー１に対する各種の情報を入力すると、受信部５は、入力された情報をデータ変換部６に加えて表示情報に変換し、書込制御部７はデータ変換部６と電子ペーパー１とに制御信号を加え、電子ペーパー１に、データ変換部６により変換した表示情報を、書込制御部７からの書込制御信号に従って電子ペーパー１に対する書込み制御を行う。それにより、電子ペーパー１に、通信装置としての各種の情報を継続して表示させることができる。
【実施例５】
【００２１】
図５は、本発明の実施例５の説明図であり、（Ａ）はパッケージ２０の空きスペースに電子ペーパー１を貼着した場合を示し、各種の電子部品等が実装されて、空きスペースが存在する場合に、その空きスペースに電子ペーパー１を取り付ける。又（Ｂ）は、パッケージ２２の前面板に電子ペーパー１を貼着等により固定し、筺体の前面側から電子ペーパー１の表示内容を確認可能にした場合を示す。なお、２１、２３は筺体に対する固定用のネジを示し、２４は表示ランプを示し、ＦＡＩＬ，ＡＣＴ，ＬＩ−ＡＬＭ，ＴＥＳＴは表示内容の略号を示す。従って、障害発生時等に於いて、パッケージ２０，２２を取り外して修理する場合に、障害内容が電子ペーパー１に表示されているから、修理作業の迅速化を図ることが可能となる。
【符号の説明】
【００２２】
１  電子ペーパー
２  制御回路
３  状態監視部
４  メモリ
５  受信部
６  データ変換部
７  書込制御部
８  読出制御部
９  データ比較部
１０  主回路
１１  異常検出回路
１２  通信処理部
１３  送信処理部
１４  データ廃棄部
１５  データの正常性確認部
１６  ＥＣＣ
１７  ＯＰＳ
１８  作業端末
【図１】
2013055546.tif 000003
【図２】
2013055546.tif 000004
【図３】
2013055546.tif 000005
【図４】
2013055546.tif 000006
【図５】
2013055546.tif 000007